(57)【特許請求の範囲】
【請求項１】
デジタル放送を受信して、前記デジタル放送のサービスを識別するためのサービス識別情報を受信信号から抽出する受信処理部と、
前記デジタル放送の受信場所の位置情報を判別する位置情報判別部と、
前記デジタル放送の受信信号から抽出されたサービス識別情報に、このデジタル放送の物理チャンネルおよび前記受信場所の位置情報を付加して、サービス情報として記憶するサービス情報記憶部と、
前記受信処理部によって受信されたデジタル放送のサービスと前記サービス情報記憶部に記憶されている同一の物理チャンネルのサービスとの受信場所が同一の受信エリア内にあるが、サービス識別情報が互いに異なる場合、前記受信処理部によって受信された前記デジタル放送のサービスのサービス識別情報を用いて、前記サービス情報記憶部に記憶されている前記同一の物理チャンネルのサービスのサービス識別情報を更新するサービス識別部とを備えるデジタル放送受信装置。
【請求項２】
前記サービス識別情報は、サービスＩＤ、ネットワークＩＤ、オリジナルネットワークＩＤ、トランスポートストリームＩＤ、トランスポートストリーム名およびサービス名のいずれかの組み合わせであることを特徴とする請求項１記載のデジタル放送受信装置。
【請求項３】
現在位置の計測情報を取得する位置情報取得部を備え、
前記位置情報判別部は、前記位置情報取得部が取得した現在位置の計測情報を位置情報として用いて判別を行うことを特徴とする請求項１記載のデジタル放送受信装置。
【請求項４】
前記デジタル放送受信装置が搭載または持ち込まれた移動体の周辺を撮像した画像情報を取得する撮像情報取得部を備え、
前記位置情報判別部は、前記撮像情報取得部が取得した前記画像情報を位置情報として用いて判別を行うことを特徴とする請求項１記載のデジタル放送受信装置。
【請求項５】
前記サービス識別情報は、言語コード、国コード、地域コードおよびネットワークＩＤを含み、
前記位置情報判別部は、前記言語コード、前記国コード、前記地域コードおよび前記ネットワークＩＤ、任意の代表サービスの前記サービス情報記憶部への登録有無のいずれかの組み合わせを位置情報として用いて判別を行うことを特徴とする請求項１記載のデジタル放送受信装置。
【請求項６】
受信処理部が、デジタル放送を受信して、前記デジタル放送のサービスを識別するためのサービス識別情報を受信信号から抽出し、
位置情報判別部が、前記デジタル放送の受信場所の位置情報を判別し、
サービス情報記憶部が、前記デジタル放送の受信信号から抽出されたサービス識別情報に、このデジタル放送の物理チャンネルおよび前記受信場所の位置情報を付加して、サービス情報として記憶し、
サービス識別部が、受信処理部によって受信されたデジタル放送のサービスと前記サービス情報記憶部に記憶されている同一の物理チャンネルのサービスとの受信場所が同一の受信エリア内にあるが、サービス識別情報が互いに異なる場合、前記受信処理部によって受信された前記デジタル放送のサービスのサービス識別情報を用いて、前記サービス情報記憶部に記憶されている前記同一の物理チャンネルのサービスのサービス識別情報を更新するデジタル放送受信方法。
【発明の詳細な説明】
【技術分野】
【０００１】
この発明は、デジタル放送受信装置およびデジタル放送受信方法に係り、特に車両などの移動体に搭載されるデジタル放送受信装置およびデジタル放送受信方法に関する。
【背景技術】
【０００２】
例えば、特許文献１に記載されるデジタル放送受信装置は、スキャン動作でサービスを受信したときに位置情報を記憶しておく。
そして、今回のスキャン動作で受信されたサービスが既に登録済みのサービスと同一の物理チャンネル（以下、物理ＣＨと略す）である場合、上記デジタル放送受信装置は、登録済みのサービスが受信された位置と今回のスキャン動作でサービスが受信された位置との差が予め定められた閾値以上であるかどうかを確認する。
位置差が予め定められた閾値以上である場合、上記デジタル放送受信装置は、この物理ＣＨで別のサービスを提供する放送エリアに移動したと判断し、今回のスキャン動作で受信されたサービスを新たなサービスとして追加登録する。
ここでは、サービスを識別するために用いられる番組特定情報（Ｐｒｏｇｒａｍ  Ｓｐｅｃｉｆｉｃａｔｉｏｎ  Ｉｎｆｏｒｍａｔｉｏｎ；以下、ＰＳＩと略す）および番組配列情報（Ｓｅｒｖｉｃｅ  Ｉｎｆｏｒｍａｔｉｏｎ；以下、ＳＩと略す）が登録される。
【先行技術文献】
【特許文献】
【０００３】
【特許文献１】特開２０１１−０４９７４８号公報
【発明の概要】
【発明が解決しようとする課題】
【０００４】
特許文献１に代表される従来の技術では、受信されたサービスを適切に登録することができない場合があるという課題があった。
特に、従来の技術では、放送局側でＰＳＩおよびＳＩが変更された場合に対応することができない。すなわち、受信されたサービスと登録済みのサービスとで受信場所が同一の受信エリアで、かつ同一の物理ＣＨであっても、ＰＳＩおよびＳＩが互いに異なる場合、受信されたサービスは、放送局側でＰＳＩおよびＳＩが変更されたサービスであることが予想される。しかしながら、従来では、この変更後のサービスが登録対象にならない。【０００５】
この発明は、上記のような課題を解決するためになされたもので、受信されたサービスを適切に登録することができるデジタル放送受信装置およびデジタル放送受信方法を得ることを目的とする。
【課題を解決するための手段】
【０００６】
この発明に係るデジタル放送受信装置は、デジタル放送を受信して、デジタル放送のサービスを識別するためのサービス識別情報を受信信号から抽出する受信処理部と、デジタル放送の受信場所の位置情報を判別する位置情報判別部と、デジタル放送の受信信号から抽出されたサービス識別情報に、このデジタル放送の物理チャンネルおよび受信場所の位置情報を付加して、サービス情報として記憶するサービス情報記憶部と、受信処理部によって受信されたデジタル放送のサービスとサービス情報記憶部に記憶されている同一の物理チャンネルのサービスとの受信場所が同一の受信エリア内にあるが、サービス識別情報が互いに異なる場合、受信処理部によって受信されたデジタル放送のサービスのサービス識別情報を用いて、サービス情報記憶部に記憶されている同一の物理チャンネルのサービスのサービス識別情報を更新するサービス識別部とを備える。
【発明の効果】
【０００７】
この発明によれば、受信されたサービスを適切に登録することができるという効果がある。
【図面の簡単な説明】
【０００８】
【図１】この発明の実施の形態１に係るデジタル放送受信装置の構成を示すブロック図である。
【図２】サービス情報記憶部の記憶内容の例を示す図である。
【図３】実施の形態１に係るデジタル放送受信方法を示すフローチャートである。
【発明を実施するための形態】
【０００９】
以下、この発明をより詳細に説明するため、この発明を実施するための形態について、添付の図面に従って説明する。
実施の形態１．
図１は、この発明の実施の形態１に係るデジタル放送受信装置の構成を示すブロック図である。図１において、デジタル放送受信装置１は、車両などの移動体に搭載されるか、あるいは、移動体に持ち込まれて使用されるデジタル放送受信装置であり、アンテナ２、チューナ３、復調部４、ＡＶデコーダ５、選局処理部６、サービス識別部７、位置情報判別部８、サービス情報記憶部９、位置情報取得部１０および撮像情報取得部１１を備えて構成される。
【００１０】
アンテナ２は、放送局から放送されるデジタル放送を受信する。アンテナ２により受信されたデジタル放送の受信信号（ＲＦ信号）は、チューナ３に入力される。
チューナ３は、アンテナ２から入力されたデジタル放送の受信信号から予め設定された物理ＣＨのデジタル放送信号を抽出し、このデジタル放送信号に対して次段の復調部４の入力仕様を満たすように周波数変換および信号レベルの調整を行う。
【００１１】
復調部４は、チューナ３から入力されたデジタル放送信号の復調処理を行う。復調部４で復調されたデジタル放送信号は、ＡＶデコーダ５に入力される。
ＡＶデコーダ５は、Ｄｅｍｕｘ５ａおよびデコーダ５ｂを備える。Ｄｅｍｕｘ５ａは、復調部４で復調されたデジタル放送信号から、映像ストリーム、音声ストリーム、およびデータストリームを分離する。デコーダ５ｂは、Ｄｅｍｕｘ５ａにより分離された各種のストリームをデコードする。これにより、映像データ、音声データおよびデジタルデータが得られる。
【００１２】
ＡＶデコーダ５は上記デジタルデータからＰＳＩおよびＳＩを抽出する。ＰＳＩおよびＳＩは、デジタル放送のサービスを識別するためのサービス識別情報である。
なお、ＰＳＩおよびＳＩには、サービスＩＤ（ｓｅｒｖｉｃｅ＿ｉｄ）、ネットワークＩＤ（ｎｅｔｗｏｒｋ＿ｉｄ）、オリジナルネットワークＩＤ（ｏｒｉｇｉｎａｌ＿ｎｅｔｗｏｒｋ＿ｉｄ）、トランスポートストリームＩＤ（ＴＳ＿ＩＤ）、トランスポートストリーム名（ＴＳ名）およびサービス名（ｓｅｒｖｉｃｅ名）といったサービス識別信号が含まれる。従って、ＰＳＩおよびＳＩから適宜抽出したサービス識別信号を用いて、サービスの識別が可能である。
【００１３】
さらに、ＰＳＩおよびＳＩには、言語コード、国コードおよび地域コードが含まれる。
例えば、言語コードとしては、ＩＳＯ＿６３９＿ｌａｎｇｕａｇｅ＿ｃｏｄｅがあり、国コードには、ｃｏｕｎｔｒｙ＿ｃｏｄｅがある。また、地域コードとしては、例えば、ｐｒｉｍａｒｙ＿ｒｅｇｉｏｎ＿ｃｏｄｅや、ｓｅｃｏｎｄａｒｙ＿ｒｅｇｉｏｎ＿ｃｏｄｅ、ｔｅｒｔｉａｒｙ＿ｒｅｇｉｏｎ＿ｃｏｄｅがある。
【００１４】
アンテナ２、チューナ３、復調部４およびＡＶデコーダ５による一連の処理によって、デジタル放送のサービスを識別するためのサービス識別情報（ＰＳＩおよびＳＩ）が受信信号から抽出される。すなわちアンテナ２、チューナ３、復調部４およびＡＶデコーダ５は、本発明における受信処理部として機能する。
【００１５】
選局処理部６は、図示しない操作部を用いたユーザからの選局指示またはＣＰＵからの選局指示に応じて選局対象の物理ＣＨをチューナ３に設定する。また、選局処理部６は、チューナ３で抽出されたデジタル放送信号から選局対象の物理ＣＨの信号のみを復調するよう復調部４に指示する。さらに、選局処理部６は、復調部４により復調されたデジタル放送信号から、選局対象の物理ＣＨの信号のみをデコードするようＡＶデコーダ５に指示する。また、選局処理部６は、サービス識別部７に対しても選局対象の物理ＣＨを送る。
【００１６】
サービス識別部７は、選局処理部６から入力された物理ＣＨ、この物理ＣＨの信号からＡＶデコーダ５によって抽出されたＰＳＩおよびＳＩ、位置情報判別部８により判別された位置情報に基づいて、上記物理ＣＨで受信されたデジタル放送のサービスを識別する。
例えば、上記物理ＣＨで受信されたデジタル放送のサービスが、サービス情報記憶部９にサービス情報が記憶されて既に登録されたサービスであるのか、反対にサービス情報が記憶されておらず、未登録のサービスであるのかが識別される。
そして、サービス識別部７は、識別結果に応じてサービス情報記憶部９のサービス情報の更新および追加を行う。例えば、デジタル放送のサービスが未登録であれば、このサービスのＰＳＩおよびＳＩを、物理ＣＨおよび受信場所の位置情報に対応付けてサービス情報記憶部９に追加する。
【００１７】
さらに、サービス識別部７は、今回受信されたサービスとサービス情報記憶部９に登録済みのサービスとの間で物理ＣＨが同一であり、かつ、受信場所も同一の受信エリア内と判定されたが、ＰＳＩおよびＳＩのみが互いに異なる場合、今回受信されたサービスのＰＳＩおよびＳＩが放送局側で変更されたと判断する。
この場合、サービス識別部７は、今回受信されたサービスのＰＳＩおよびＳＩを用いてサービス情報記憶部９に記憶されている同一の物理ＣＨのサービス情報を更新する。
従来では、放送局側でＰＳＩおよびＳＩが変更されたサービスが識別されず、変更後のサービスを登録することができなかったが、本発明では、サービス識別部７によって適切に登録することが可能である。
【００１８】
位置情報判別部８は、受信処理部によってデジタル放送が受信された場所の位置情報を判別する。例えば、ＰＳＩおよびＳＩから抽出された言語コード、国コード、地域コードおよびネットワークＩＤのいずれかの組み合わせを位置情報として用いて判別を行ってもよい。このようにすることで、位置情報を特定するための手段が不要となり、簡易な構成とすることができる。
【００１９】
サービス情報記憶部９は、ＰＳＩおよびＳＩに、物理ＣＨおよびサービスの受信場所の位置情報を付加してサービス情報として記憶する。例えば、図２に示すように、サービス情報記憶部９には、サービスごとにＰＳＩ、ＳＩ、物理ＣＨおよび位置情報が記憶されている。サービス情報記憶部９に記憶されたサービス情報は、受信可能なサービスの一覧であるチャンネルリストあるいはプリセットリストとして利用される。
【００２０】
位置情報取得部１０は現在位置の計測情報を取得する。例えば、図示しないＧＰＳ（Ｇｌｏｂａｌ  Ｐｏｓｉｔｉｏｎｉｎｇ  Ｓｙｓｔｅｍ）受信機と接続して現在の位置情報（緯度経度）を取得する。ＧＰＳ受信機は、ＧＰＳ衛星からＧＰＳ電波を受信し、この受信信号を解析して現在の位置情報（緯度経度）を計測する。
また、車両に搭載された距離センサ、方位センサおよび舵角センサなどの自立航法装置から車両の位置情報を取得してもよい。
位置情報判別部８は、位置情報取得部１０が取得した現在位置の計測情報を位置情報として用いて判別を行う。これにより、位置情報判別部８は、サービスの受信場所の位置を正確に判別でき、サービス識別部７による受信エリアの判定の信頼性も向上する。
【００２１】
撮像情報取得部１１は、デジタル放送受信装置１が搭載または持ち込まれた車両の周辺を撮像した画像情報を取得する。車両の周辺を撮像する撮像手段としては、例えば、車両に標準的に搭載された車載カメラ（フロントカメラ、リアカメラ、サイドカメラ）を利用する。位置情報判別部８は、撮像情報取得部１１が取得した画像情報を、位置情報として用いて判別を行う。例えば、車両の周辺にある標識や特定の建物を画像解析によって抽出し、これらに基づいて車両の現在位置を判別する。このようにしても、現在位置の特定が可能である。
【００２２】
なお、位置情報判別部８は、ＰＳＩおよびＳＩから抽出した言語コード、国コード、地域コードおよびネットワークＩＤ、任意の代表サービスのサービス情報記憶部９への登録有無のいずれかの組み合わせ、位置情報取得部１０によって取得された現在位置の計測情報、撮像情報取得部１１によって取得された車両周辺の撮像画像のうちのいずれかを組み合わせて、デジタル放送の受信場所の位置情報を判別してもよい。例えば、ＰＳＩおよびＳＩから抽出したデータで大まかな位置を判別し、その後に位置情報取得部１０が取得した現在位置の計測情報でさらに正確な位置を判別する。このとき、撮像情報取得部１１が取得した画像の解析結果を補足的に用いてもよい。
【００２３】
次に動作について説明する。
図３は、実施の形態１に係るデジタル放送受信方法を示すフローチャートであり、受信されたサービスをサービス情報記憶部９に登録する処理を示している。
まず、選局処理部６が、図示しない操作部を用いたユーザからの選局指示またはＣＰＵからの選局指示に応じて、チューナ３、復調部４およびＡＶデコーダ５に選局対象の物理ＣＨのデジタル放送を受信させる選局処理を実施する（ステップＳＴ１）。
【００２４】
次に、サービス識別部７は、ＡＶデコーダ５によりデジタルデータから抽出された上記物理ＣＨのサービスのＰＳＩおよびＳＩと、選局処理部６から上記物理ＣＨを取得する（ステップＳＴ２）。このときＡＶデコーダ５がＰＳＩおよびＳＩを抽出できず、選局対象の物理ＣＨのサービスのＰＳＩおよびＳＩが取得されなかった場合（ステップＳＴ３；ＮＯ）、サービス識別部７は、このサービスの受信が不可能であると判断して処理を終了する。このとき、サービス情報記憶部９には何も登録しない。
【００２５】
上記物理ＣＨのサービスのＰＳＩおよびＳＩが取得された場合（ステップＳＴ３；ＹＥＳ）、サービス識別部７は、サービス情報記憶部９に登録済みのサービスのＰＳＩ、ＳＩおよび物理ＣＨと、ステップＳＴ１で受信されたデジタル放送のサービスのＰＳＩ、ＳＩおよび物理ＣＨとを比較して同一であるか否かを判定する（ステップＳＴ４）。
ＰＳＩ、ＳＩおよび物理ＣＨが同一である場合（ステップＳＴ４；ＹＥＳ）、サービス識別部７は、ステップＳＴ１で受信されたサービスが、サービス情報記憶部９に既に登録されているものと判断して処理を終了する。
【００２６】
ＰＳＩおよびＳＩと物理ＣＨのうち、少なくとも一つが同一でないと判定された場合（ステップＳＴ４；ＮＯ）、サービス識別部７は、ステップＳＴ１におけるサービスの受信場所の位置情報を位置情報判別部８から取得する（ステップＳＴ５）。
次に、サービス識別部７は、ステップＳＴ１で受信されたサービスのＰＳＩおよびＳＩと、サービス情報記憶部９に登録済みのサービスのＰＳＩおよびＳＩとを比較して、同一であるか否かを確認する（ステップＳＴ６）。
【００２７】
ＰＳＩおよびＳＩが同一である場合（ステップＳＴ６；ＹＥＳ）、サービス識別部７は、ステップＳＴ１でサービスのデジタル放送が受信された場所の位置情報とサービス情報記憶部９に登録済みのサービスの位置情報とを比較して、両位置情報が同一の受信エリア内であるか否かを判定する（ステップＳＴ７）。
両位置情報が同一の受信エリア内であると判定した場合（ステップＳＴ７；ＹＥＳ）、サービス識別部７は、ステップＳＴ１で受信されたデジタル放送のサービスとサービス情報記憶部９に登録済みのサービスとでＰＳＩおよびＳＩが同一で、受信場所も同一の受信エリア内であるが、物理ＣＨのみが互いに異なるため、放送局側で周波数リパッキングが実施されたと判断する。すなわち、サービス情報記憶部９に登録済みのサービスは、その物理ＣＨが放送局側で変更されている。そこで、サービス識別部７は、ステップＳＴ１で受信されたデジタル放送のサービスの物理ＣＨを用いて、サービス情報記憶部９に登録済みのサービスの物理ＣＨを更新する（ステップＳＴ８）。
【００２８】
なお、ＳＤＴＴ（Ｓｏｆｔｗａｒｅ  Ｄｏｗｎｌｏａｄ  Ｔｒｉｇｇｅｒ  Ｔａｂｌｅ）、および、エンジニアリングサービスによる周波数リストの変更通知が運用されている場合には、サービス識別部７は、ＡＶデコーダ５によってデジタルデータから取得されるＳＤＴＴとエンジニアリングサービスの周波数リストおよび変更情報を利用して、ステップＳＴ８で周波数リパッキングの実施を判断してもよい。
【００２９】
両位置情報が同一の受信エリア内ではないと判定した場合（ステップＳＴ７；ＮＯ）、サービス識別部７は、車両が移動したことでＭＦＮ（Ｍｕｌｔｉ  Ｆｒｅｑｕｅｎｃｙ  Ｎｅｔｗｏｒｋ）局からのデジタル放送を受信したと判断する。
すなわち、ＰＳＩおよびＳＩが同一のサービスが、異なる物理ＣＨでも放送されているので、サービス識別部７は、ステップＳＴ１で受信されたサービスの物理ＣＨを、サービス情報記憶部９に登録済みのサービスの物理ＣＨに追加する（ステップＳＴ９）。
【００３０】
一方、ＰＳＩおよびＳＩが互いに異なると判定した場合（ステップＳＴ６；ＮＯ）、サービス識別部７は、ステップＳＴ１で受信されたサービスとサービス情報記憶部９に登録済みのサービスとで物理ＣＨが同一であるか否かを判定する（ステップＳＴ１０）。
サービス識別部７は、物理ＣＨが互いに異なる場合（ステップＳＴ１０；ＮＯ）、サービス情報記憶部９に登録されていない新しいサービスを受信したと判断する。
この場合、サービス識別部７は、ステップＳＴ９に移行して、ステップＳＴ１で受信されたサービスをサービス情報記憶部９に登録する。
【００３１】
物理ＣＨが同一であると判定した場合（ステップＳＴ１０；ＹＥＳ）、サービス識別部７は、ステップＳＴ１でサービスのデジタル放送が受信された場所の位置情報とサービス情報記憶部９に登録済みのサービスの位置情報とを比較して、両位置情報が同一の受信エリア内であるか否かを判定する（ステップＳＴ１１）。
このとき、両位置情報が同一の受信エリア内でないと判定した場合（ステップＳＴ１１；ＮＯ）、サービス識別部７は、上記と同様にサービス情報記憶部９に登録されていない新しいサービスを受信したと判断する。この場合も、サービス識別部７は、ステップＳＴ９に移行して、ステップＳＴ１で受信されたサービスをサービス情報記憶部９に登録する。
【００３２】
両位置情報が同一の受信エリア内であると判定した場合（ステップＳＴ１１；ＹＥＳ）、サービス識別部７は、ステップＳＴ１で受信されたデジタル放送のサービスとサービス情報記憶部９に登録済みのサービスとで物理ＣＨが同一で受信場所も同一の受信エリア内と判定されたが、ＰＳＩおよびＳＩのみが互いに異なるので、ステップＳＴ１で受信されたサービスのＰＳＩおよびＳＩが放送局側で変更されたと判断する。
この場合、サービス識別部７は、ステップＳＴ１で受信されたデジタル放送のサービスのＰＳＩおよびＳＩを用いて、サービス情報記憶部９に記憶されている同一の物理ＣＨのサービス情報におけるＰＳＩおよびＳＩを更新する（ステップＳＴ１２）。
このようにスキャンなどの選局動作時に検出されたサービスが、サービス情報記憶部９に登録済みのサービスと同一の物理ＣＨでかつ位置情報が同一の受信エリア内であるが、ＰＳＩおよびＳＩが互いに異なる場合であっても、登録済みサービス情報を更新することで、常に最新のサービス情報を保持することができる。これによりユーザに対して最適なサービス一覧情報を提供できる。
【００３３】
以上のように、この実施の形態１によれば、受信処理部（アンテナ２、チューナ３、復調部４およびＡＶデコーダ５）が、デジタル放送を受信して、デジタル放送のサービスを識別するためのサービス識別情報を受信信号から抽出する。位置情報判別部８は、デジタル放送の受信場所の位置情報を判別する。サービス情報記憶部９は、デジタル放送の受信信号から抽出されたＰＳＩおよびＳＩに、このデジタル放送の物理ＣＨおよび受信場所の位置情報を付加して、サービス情報として記憶する。
サービス識別部７は、受信処理部によって受信されたデジタル放送のサービスとサービス情報記憶部９に記憶されている同一の物理ＣＨのサービスとの受信場所が同一の受信エリア内にあるが、ＰＳＩおよびＳＩが互いに異なる場合、受信処理部によって受信されたデジタル放送のサービスのＰＳＩおよびＳＩを用いて、サービス情報記憶部９に記憶されている同一の物理ＣＨのサービスのＰＳＩおよびＳＩを更新する。
従来は、登録済みのサービスと同一の放送エリアで同一の物理ＣＨのサービスに関するＰＳＩおよびＳＩが放送局側で変更された場合、この変更後のサービスがスキャン対象にならず、新たに登録することができなかった。
これに対して、本発明では、登録済みのサービスと同一の放送エリアで同一の物理ＣＨのサービスに関するＰＳＩおよびＳＩが異なる場合、新たに受信されたサービスのＰＳＩおよびＳＩで登録済みの対応するサービスのＰＳＩおよびＳＩが更新される。
これにより従来では登録できなかったサービスも適切に登録することができ、常に最新のサービス情報を保持することができる。このためユーザに最適なサービスの一覧情報を提供することが可能となる。
【００３４】
また、この実施の形態１によれば、サービス識別情報は、サービスＩＤ、ネットワークＩＤ、オリジナルネットワークＩＤ、トランスポートストリームＩＤ、トランスポートストリーム名およびサービス名のいずれかの組み合わせである。これらのサービス識別信号はＰＳＩおよびＳＩに含まれており、ＰＳＩおよびＳＩから適宜抽出したサービス識別信号を用いてサービスの識別が可能である。
【００３５】
さらに、この実施の形態１によれば、現在位置のＧＰＳ情報を取得する位置情報取得部１０を備え、位置情報判別部８は、位置情報取得部１０が取得した現在位置のＧＰＳ情報を位置情報として用いて判別を行う。このように構成することで、位置情報判別部８は、現在位置に基づいてサービスの受信場所を正確に判別できる。これにより、サービス識別部７による受信エリアの判別の信頼性も向上する。
【００３６】
さらに、この実施の形態１によれば、デジタル放送受信装置１が搭載または持ち込まれた車両の周辺を撮像した画像情報を取得する撮像情報取得部１１を備え、位置情報判別部８は、撮像情報取得部１１が取得した画像情報を位置情報として用いて判別を行う。
このようにすることでも、現在位置の特定が可能であり、サービスの受信場所の判別も可能である。
【００３７】
さらに、この実施の形態１によれば、サービス識別情報は、言語コード、国コード、地域コードおよびネットワークＩＤを含み、位置情報判別部８は、言語コード、国コード、地域コードおよびネットワークＩＤ、任意の代表サービスのサービス情報記憶部９への登録有無のいずれかの組み合わせを位置情報として用いて判別を行う。このように構成することで、位置情報を特定するための手段が不要となり、簡易な構成とすることができる。
【００３８】
なお、本発明はその発明の範囲内において、実施の形態の任意の構成要素の変形、もしくは実施の形態の任意の構成要素の省略が可能である。
【産業上の利用可能性】
【００３９】
この発明に係るデジタル放送受信装置は、受信されたサービスを適切に登録することができるので、例えば、車両の移動により様々な受信エリアに移動可能な車載用のデジタル放送受信装置に好適である。
【符号の説明】
【００４０】
１  デジタル放送受信装置、２  アンテナ、３  チューナ、４  復調部、５  ＡＶデコーダ、５ａ  Ｄｅｍｕｘ、５ｂ  デコーダ、６  選局処理部、７  サービス識別部、８  位置情報判別部、９  サービス情報記憶部、１０  位置情報取得部、１１  撮像情報取得部。
【図１】
0005989282.tif 000002
【図２】
0005989282.tif 000003
【図３】
0005989282.tif 000004